(57)【要約】【課題】  一般向けに供される護持仏像であっても、置物としての意味合いのみならず、宗教性、更には神秘性等の側面から奥深い意味付け（付加価値）を持たせる。【解決手段】  正規の仏像に対して全体の形態が略同一となるように縮小した形態を有する護持仏像１を構成するに際して、一光三尊形式の正規の仏像に対して形態が略同一となるように縮小した形態Ｍを有し、かつ中央に配する本尊像部２の像高Ｈｂを略５．４〔ｃｍ〕の大きさに選定する。この場合、護持仏像１は、金属の鋳造により成型した一又は二以上の部品Ｐ１，Ｐ２により一体に又は組付けて構成し、外表面Ｆ…にメッキを施すことができる。【選択図】  図１
0003107261.tif 000002
【実用新案登録請求の範囲】
【請求項１】
正規の仏像に対して全体の形態が略同一となるように縮小した形態を有する護持仏像において、一光三尊形式の正規の仏像に対して形態が略同一となるように縮小した形態を有し、かつ中央に配する本尊像部の像高を略５．４〔ｃｍ〕の大きさに選定してなることを特徴とする護持仏像。
【請求項２】
金属の鋳造により成型した一又は二以上の部品により一体に又は組付けて構成し、外表面にメッキを施してなることを特徴とする請求項１記載の護持仏像。
【請求項３】
台座部と、この台座部の上面の中央に配した前記本尊像部と、前記台座部の上面であって前記本尊像部の両側に配した一対の脇士像部と、前記本尊像部及び前記脇士像部の後方に配した光背部を備えることを特徴とする請求項１又は２記載の護持仏像。
【考案の詳細な説明】
【技術分野】
【０００１】
本考案は、正規の仏像に対して全体の形態が略同一となるように縮小した形態を有する護持仏像に関する。
【背景技術】
【０００２】
従来、一般人の所有する仏壇等に安置する護持仏像としては、特開２００２−５１９０２号公報で開示される仏像が知られている。
【０００３】
同公報開示の仏像は、仏像本体である本尊と、台座と、光背で主に構成され、光背の前面の左側及び右側に、それぞれ仏像体である脇侍像が配置されるとともに、中央に、釈迦如来像である本尊が配置され、さらに、その右側に、道元禅師（常済）像の脇侍像が配置され、左側に、螢山禅師（承陽）像の脇侍像が配置された構成を備えている。
【特許文献１】特開２００２−５１９０２号
【考案の開示】
【考案が解決しようとする課題】
【０００４】
しかし、仏壇等に安置する従来の仏像は、その大きさに着目した場合、専ら、仏壇等への設置性や商品としての品等などにより製作される場合が多く、その大きさに対して特別に意味付けをした仏像は、ほとんど存在していない。したがって、一般向けに供される従来の仏像は、置物としての意味合いが高く、宗教性、更には神秘性等の側面から奥深い意味付け（付加価値）を持たせる点については、必ずしも十分であるとは言えない課題が存在した。
【０００５】
本考案は、このような背景技術に存在する課題を解決した護持仏像の提供を目的とするものである。
【課題を解決するための手段】
【０００６】
本考案は、上述した課題を解決するため、正規の仏像に対して全体の形態が略同一となるように縮小した形態を有する護持仏像１を構成するに際して、一光三尊形式の正規の仏像に対して形態が略同一となるように縮小した形態Ｍを有し、かつ中央に配する本尊像部２の像高Ｈｂを略５．４〔ｃｍ〕の大きさに選定してなることを特徴とする。
【０００７】
この場合、考案の好適な態様により、護持仏像１は、金属の鋳造により成型した一又は二以上の部品Ｐ１，Ｐ２により一体に又は組付けて構成し、外表面Ｆ…にメッキを施すことができるとともに、台座部５と、この台座部５の上面の中央に配した本尊像部２と、台座部５の上面であって本尊像部２の両側に配した一対の脇士像部３，４と、本尊像部２及び脇士像部３，４の後方に配した光背部６を備えて構成できる。
【０００８】
ところで、長野県長野市に在る善光寺の場合、その本堂には、御本尊一光三尊阿弥陀如来に係わる仏像が秘仏として安置されており、７年に一度の御開帳のときに、その姿を拝むことができる。この仏像は、一つの光背の中央に阿弥陀如来（本尊像部２）、向かって右に観音菩薩（脇士像部３）、左に勢至菩薩（脇士像部４）が並ぶ善光寺独特の一光三尊阿弥陀如来（正規の仏像）として構成されている。善光寺仏の場合、その大きさには複数種類があり、一寸八分もその一つである。一寸八分の善光寺仏は古くから知られており、鎌倉時代からその作例が見られる。例えば、大阪府藤井寺小山に在る善光寺、長野県佐久市落合に在る善光寺などには、一寸八分の善光寺仏が安置されている。一寸八分の解釈としては、善光寺縁起などに、「一チャクシュハン」の文字があり、この説が一寸八分の有力な説として知られている。本考案に係る護持仏像１は、この「一寸八分」の大きさを本尊像部２の像高Ｈｂとして用いたものである。
【考案の効果】
【０００９】
このような構成を有する本考案に係る護持仏像１によれば、次のような顕著な効果を奏する。
【００１０】
（１）  一光三尊形式の仏像に対して形態が略同一となるように縮小した形態Ｍを有し、かつ中央に配する本尊像部２の像高Ｈｂを略５．４〔ｃｍ〕の大きさに選定したため、一般向けに供される護持仏像１であっても、置物としての意味合いのみならず、宗教性、更には神秘性等の側面から奥深い意味付け（付加価値）を持たせることができる。
【００１１】
（２）  好適な態様により、護持仏像１を、台座部５と、この台座部５の上面の中央に配した本尊像部２と、台座部５の上面であって本尊像部２の両側に配した一対の脇士像部３，４と、本尊像部２及び脇士像部３，４の後方に配した光背部６を備えて構成すれば、特に、善光寺本堂に秘仏として安置される御本尊一光三尊阿弥陀如来に係わる正規の仏像を、護持仏像１として構成することができる。
【考案を実施するための最良の形態】
【００１２】
次に、本考案の最良の実施形態に係る護持仏像１について、図１〜図３を参照して詳細に説明する。
【００１３】
護持仏像１は、一光三尊形式の正規の仏像に対して全体の形態が略同一となるように縮小した形態Ｍを有する。したがって、護持仏像１は、台座部５と、この台座部５の上面の中央に配した本尊像部２と、台座部５の上面であって本尊像部２の両側に配した一対の脇士像部３，４と、本尊像部２と脇士像部３，４の後方に配した光背部６を備える。
【００１４】
例示する一光三尊形式の仏像（正規の仏像）は、長野県長野市に在る善光寺本堂に安置されている御本尊一光三尊阿弥陀如来に係わる仏像を縮小したものであり、護持仏像１の全体の形態は、正規の仏像に対して略同一となるように縮小した形態を有する。したがって、本尊像部２は「阿弥陀如来」、向かって右側の脇士像部３は「観音菩薩」、向かって左側の脇士像部４は「勢至菩薩」となる。
【００１５】
そして、図１に示すように、特に、本尊像部２の像高Ｈｂは、略５．４〔ｃｍ〕になるように選定する。前述したように、善光寺仏の場合、その大きさには複数種類があり、その一つとして一寸八分が知られている。本実施形態に係る護持仏像１は、善光寺縁起などにある「一チャクシュハン」の文字から解釈される一寸八分（≒５．４〔ｃｍ〕）を選定し、本尊像部２の像高Ｈｂを略５．４〔ｃｍ〕に選定したものである。
【００１６】
一方、護持仏像１を製作するに際しては、台座部５，本尊像部２，各脇士像部３及び４を、青銅等の金属により一体に鋳造し、外表面に、二十四金のメッキ処理を施す。これにより、単一の部品Ｐ１として成型される。一方、光背部６も、青銅等の金属により一体に鋳造し、外表面に、二十四金のメッキ処理を施す。これにより、単一の部品Ｐ２として成型される。
【００１７】
また、台座部５（部品Ｐ１）の上面であって、その後側には、図３に示すように、上下面に貫通する長孔により形成した取付孔部１２を設けるとともに、他方、光背部６（部品Ｐ２）の下端には、下方に突出する取付片部６ｐを一体形成する。これにより、光背部６と台座部５を組付ける際には、図３に示すように、取付片部６ｐを、上方から取付孔部１２に挿入し、台座部５の下側（内側）から溶接（又は接着）により取付片部６ｐと取付孔部１２の縁部を固定すればよい。なお、符号１３は、溶接部（又は接着部）を示している。なお、図３において、１０は、外表面を漆塗り等により仕上げた木製の載置台であり、上面に、護持仏像１を載置して仏壇等の所要の場所に安置することができる。
【００１８】
このような本実施形態に係る護持仏像１は、一光三尊形式の仏像に対して形態が略同一となるように縮小した形態Ｍを有し、かつ中央に配する本尊像部２の像高Ｈｂを、一寸八分となる略５．４〔ｃｍ〕（≒一寸八分）の大きさに選定したため、一般向けに供される護持仏像１であっても、置物としての意味合いのみならず、宗教性、更には神秘性等の側面から奥深い意味付け（付加価値）を持たせることができる。また、護持仏像１を、台座部５と、この台座部５の上面の中央に配した本尊像部２と、台座部５の上面であって本尊像部２の両側に配した一対の脇士像部３，４と、本尊像部２及び脇士像部３，４の後方に配した光背部６を備えて構成すれば、特に、善光寺本堂に秘仏として安置される御本尊一光三尊阿弥陀如来に係わる正規の仏像を、護持仏像１として構成できる。
【００１９】
以上、最良の実施形態について詳細に説明したが、本考案は、このような実施形態に限定されるものではなく、細部の構成，形状，素材，数量，数値等において、本考案の要旨を逸脱しない範囲で、任意に変更，追加，削除することができる。
【図面の簡単な説明】
【００２０】
【図１】本考案の最良の実施形態に係る護持仏像の正面図、
【図２】同護持仏像の斜視図、
【図３】同護持仏像の分解断面側面図、
【符号の説明】
【００２１】
１    護持仏像
２    本尊像部
３    脇士像部
４    脇士像部
５    台座部
６    光背部
Ｍ    正規の仏像を縮小した形態
Ｈｂ  像高
Ｐ１  部品
Ｐ２  部品
Ｆ    外表面
【図１】
0003107261.tif 000003
【図２】
0003107261.tif 000004
【図３】
0003107261.tif 000005